(57)【要約】【課題】  特に、第一次入力手段から出力された座標データを利用することで、一つのスイッチ信号ラインを設けるだけでも、入力状態にあるスイッチを特定することができる入力装置を提供することを目的とする。【解決手段】  複数の押圧型スイッチ素子ＳＷは一つのスイッチ信号ライン１５に接続されており、前記スイッチ信号ライン１５からスイッチ信号を検知すると、第一次入力センサ５から得られた座標データに基づいて、入力状態にある前記押圧型スイッチ素子を特定することが出来る。本発明では、前記座標データを利用すれば一つのスイッチ信号ライン１５を設けるだけで入力状態にある押圧型スイッチ素子を特定できるので、入力装置の小型化にも適切に対応でき、また制御部側の設計変更が必要なくなり、さらにノイズ発生の少ない入力装置を提供することが出来る。【選択図】    図６
2005338898.tif 000002
【特許請求の範囲】
【請求項１】
表面に操作面を有する表面シートと、前記表面シートの下側に設けられた座標入力が可能な第一次入力手段と、前記第一次入力手段の下側に設けられ、複数の押圧型スイッチ素子を有する第二次入力手段とを有してなる入力装置において、
前記押圧型スイッチ素子はスイッチ信号ラインに接続され、前記押圧型スイッチ素子の数よりも前記スイッチ信号ラインの数の方が少なく、
前記操作面が前記第二次入力手段方向へ押圧されて、いずれか一つの押圧型スイッチ素子が入力状態になり前記スイッチ信号ラインからスイッチ信号が検出されると、
前記第一次入力手段から得られた座標データに基づいて、入力状態にある前記押圧型スイッチ素子が特定されることを特徴とする入力装置。
【請求項２】
全ての押圧型スイッチ素子が一つのスイッチ信号ラインに接続されている請求項１記載の入力装置。
【請求項３】
前記第一次入力手段から受信された座標データを所定のアルゴリズムを用いて補正する座標データ補正手段が設けられている請求項１または２に記載の入力装置。
【請求項４】
前記座標データ補正手段では、過去の複数の座標データを平均化するアルゴリズムを有する請求項３記載の入力装置。
【請求項５】
前記座標データ補正手段では、座標データに対応したビットデータのうち、所定の下位ビットを無視し、上位ビットのみを用いて前記座標データを特定するアルゴリズムを有する請求項３記載の入力装置。
【請求項６】
前記第一次入力手段は、静電容量式センサである請求項１ないし５のいずれかに記載の入力装置。
【発明の詳細な説明】
【技術分野】
【０００１】
本発明は、座標入力が可能な第一次入力手段と、複数の押圧型スイッチ素子を有する第二次入力手段とを有してなる入力装置に関する。
【背景技術】
【０００２】
下記特許文献１は、例えば携帯電話の入力装置に関するものであり、特許文献１での入力装置では、静電容量型または感圧式の平面型入力装置４と、その表面に形成された表面シート７と、スイッチ入力が可能なスイッチ素子１１とを有して構成される（特許文献１の図２及び図７を参照されたい）。
【０００３】
この特許文献１の［００２２］欄等に記載されているように、前記平面型入力装置４では座標入力が可能とされており、特許文献１の図１に示す指示表示８を押圧することで数字や文字を入力したり、あるモードに切り換えることにより、表示パネル３に表示された画面をスクロールできる等の機能が発揮される（特許文献１の［００３０］欄〜［００３２］欄等）。
【０００４】
またスイッチ素子１１が押圧されて入力状態になると、例えば特許文献１の［００４３］欄に記載されているように、平面型入力装置４において生成された座標入力信号が無視されスイッチ素子１１の入力のみが認識され、例えばスイッチ素子の入力が所定の「確定ボタン」として機能する。
【特許文献１】特開２００２−１２３３６３号公報
【発明の開示】
【発明が解決しようとする課題】
【０００５】
ところで、前記スイッチ素子１１は、それぞれのスイッチにおいて個別の信号ラインに接続されており、複数ある信号ラインが制御部側でスイッチ位置検出部に接続され、スイッチ信号が検知されると、前記スイッチ位置検出部でスイッチ信号が送信された信号ラインをもとに、入力状態のスイッチ素子１１を特定することが通常行なわれてきた。
【０００６】
しかし、特に携帯電話のように小型の電子機器に搭載される入力装置もまた小型である必要があり、前記入力装置内に設けられた複数のスイッチ素子１１に対応した複数の信号ラインの引き回しを限られた面積内で設計するのは、特にスイッチ素子１１の数が増えればそれだけ困難になる。
【０００７】
また、スイッチ素子１１の数の変更によってスイッチ信号を検出する制御部側の設計変更も余儀なくされる。
【０００８】
さらには、各スイッチ素子１１に個別にスイッチ信号ラインを設けるとノイズが発生しやすいといった問題もある。
【０００９】
そこで本発明は、上記課題を解決するものであり、特に、第一次入力手段から出力された座標データを利用することで、一つのスイッチ信号ラインを設けるだけでも、入力状態にあるスイッチを特定することができる入力装置を提供することを目的とする。
【課題を解決するための手段】
【００１０】
本発明は、
表面に操作面を有する表面シートと、前記表面シートの下側に設けられた座標入力が可能な第一次入力手段と、前記第一次入力手段の下側に設けられ、複数の押圧型スイッチ素子を有する第二次入力手段とを有してなる入力装置において、
前記押圧型スイッチ素子はスイッチ信号ラインに接続され、前記押圧型スイッチ素子の数よりも前記スイッチ信号ラインの数の方が少なく、
前記操作面が前記第二次入力手段方向へ押圧されて、いずれか一つの押圧型スイッチ素子が入力状態になり前記スイッチ信号ラインからスイッチ信号が検出されると、
前記第一次入力手段から得られた座標データに基づいて、入力状態にある前記押圧型スイッチ素子が特定されることを特徴とするものである。
【００１１】
本発明では、前記押圧型スイッチ素子はスイッチ信号ラインに接続され、前記スイッチ素子の数よりも前記押圧型スイッチ信号ラインの数の方が少なくなっており、前記スイッチ信号ラインからスイッチ信号を検知すると、第一次入力手段から得られた座標データに基づいて、入力状態にある前記押圧型スイッチ素子を特定することが出来る。
【００１２】
このように本発明では、前記押圧型スイッチ素子の数よりも前記スイッチ信号ラインの数を少なくし、前記スイッチ信号ラインからスイッチ素子の位置を特定できなくても、前記座標データを利用すれば入力状態にある押圧型スイッチ素子を特定できるので、入力装置の小型化にも適切に対応でき、また制御部側の設計変更が必要なくなり、さらにノイズ発生の少ない入力装置を提供することが出来る。
【００１３】
特に本発明では、全ての押圧型スイッチ素子が一つのスイッチ信号ラインに接続されていることが好ましい。前記座標データを利用すれば一つのスイッチ信号ラインを設けるだけで入力状態にある押圧型スイッチ素子を特定できる。
【００１４】
また本発明では、前記第一次入力手段から受信された座標データを所定のアルゴリズムを用いて補正する座標データ補正手段が設けられていることが好ましい。
【００１５】
具体的には、前記座標データ補正手段では、過去の複数の座標データを平均化するアルゴリズムを有することが好ましい。あるいは、前記座標データ補正手段では、座標データに対応したビットデータのうち、所定の下位ビットを無視し、上位ビットのみを用いて前記座標データを特定するアルゴリズムを有することが好ましい。
【００１６】
操作面を押圧するときに、操作者がある特定箇所を押圧していると思っても、その操作者の押し方の癖等によって、押圧位置がずれたりし、その結果、位置ずれを起こした座標データが出力されてしまい、本来入力状態にあるスイッチ素子とは異なるスイッチ素子が入力されていると誤信号を出す可能性がある。特に、各スイッチ素子間の間隔が狭くなると、なお更、本来入力状態にあるはずの隣のスイッチが入力されていると誤った信号を出しやすい。このため、一次入力手段から受信された座標データを、例えば過去に受信した複数の座標データを平均化するなどして、座標データのばらつきを中和し、スイッチ位置の検出精度を向上させることが好ましい。
【００１７】
また本発明では、例えば、前記第一次入力手段は、静電容量式センサである。特に静電容量センサであると、上記した座標データの位置ずれが生じやすいので、かかる場合、上記した座標データ補正手段を用いることで、より効果的にスイッチ位置の検出精度を向上させることが出来る。
【発明の効果】
【００１８】
本発明では、押圧式スイッチ素子は複数個あり、前記押圧型スイッチ素子はスイッチ信号ラインに接続され、前記押圧型スイッチ素子の数よりも前記スイッチ信号ラインの数の方が少なくなっており、前記スイッチ信号ラインからスイッチ信号を検知すると、第一次入力手段から得られた座標データに基づいて、入力状態にある前記押圧型スイッチ素子を特定することが出来る。
【００１９】
このように本発明では、前記スイッチ素子の数よりも前記スイッチ信号ラインの数を少なくし、前記スイッチ信号ラインからスイッチ素子の位置を特定できなくても、前記座標データを利用すれば入力状態にある押圧型スイッチ素子を特定できるので、入力装置の小型化にも適切に対応でき、また制御部側の設計変更が必要なくなり、さらにノイズ発生の少ない入力装置を提供することが出来る。
【発明を実施するための最良の形態】
【００２０】
図１は本発明の入力装置を搭載した携帯電話の部分斜視図、図２は本発明における入力装置の部分分解斜視図、図３は図２に示すＩＩＩ−ＩＩＩ線の部分断面図、図４は第二次入力手段の電気回路図、図５は図３に示す入力装置を押圧したときの状態図（部分断面図）、図６は図３のスイッチ入力状態のときの電気回路図、図７は本発明における入力装置のブロック図、図８は、座標データの受信からスイッチ位置検出までの一連の流れを示すフローチャート図、図９は本発明における座標データ補正手段の一例を説明するための説明図、である。
【００２１】
図１に示す携帯電話１は、ケース２に表示手段としての表示パネル３と入力装置４が搭載されている。表示パネル３はモノクロ型やカラー型の液晶パネルまたはＥＬパネルからなる。
【００２２】
前記入力装置４は、情報の入力に用いるためのものであり、本実施形態の入力装置４は、第一次入力センサ５（第一次入力手段）と第二次入力スイッチ６（第二次入力手段）を有して構成されている。
【００２３】
図２に示す表示シート７はＰＥＴなどの樹脂製のシートあるいはシリコンラバーなどで形成され、その表面（操作面７ａ）には文字、数字や記号などの複数の個別の入力箇所を示す指示表示８が印刷工程または転写工程で形成されている。またそれぞれの指示表示８では、入力箇所を示す円形の枠が形成され、その枠内に、文字、数字または記号などが印刷または転写されている。
【００２４】
前記表示シート７は、前記指示表示８の部分が凸形状となるように凹凸状に変形させられたものであってもよいし、または図３に示すように、表示シート７の表面にラバーなどで形成された凸体８Ａが固着され、この凸体８Ａの表面に前記文字、数字または記号などが印刷または転写されたものであってもよい。
【００２５】
図２に示す第一次入力センサ５は、静電容量型や感圧型のものであり、座標入力が可能とされたものである。静電容量型としては、Ａｇ（銀）系ペーストで形成されたＸ方向検出電極５ａとＹ方向検出電極５ｂとが、絶縁性を有し且つ所定の誘電率を有するＰＥＴ（ポリエチレンテレフタレート）などで形成された樹脂シート９の上下にマトリックス状に対向させられている。
【００２６】
そして樹脂シート９を導電パターンが形成された基板上に配置し、前記各電極５ａ，５ｂを前記基板に形成された導電パターンに接続するように構成されている。これにより、前記指示表示８上等に指などの誘電体が触れることで、触れた位置においてＸ方向検出電極５ａとＹ方向検出電極５ｂとの間の静電容量が変化し、その結果、Ｘ−Ｙ座標での入力が可能になっている。
【００２７】
また図２に示す第一次入力センサ５は感圧式センサであってもよい。感圧式とセンサしては、ＸおよびＹ方向に電位差が与えられた抵抗体と前記抵抗体に対向する導電体とを有し、指などで押されることで、前記導電体と前記抵抗体とが接触させられて抵抗値が変化し、座標の入力が可能とされている。
【００２８】
図３に示すように、前記第一次入力センサ５の裏面側には絶縁シート１０が配置されている。前記絶縁シート１０は樹脂等で形成されたものであり、前記絶縁シート１０の裏側には、後述する個々の押圧型スイッチ素子１１に設けられた固定電極１２と高さ方向で対向する位置に、凸条部１０ａ（トリム）が前記固定電極１２方向に向けて突出形成されている。
【００２９】
図２及び図３に示す第二次入力スイッチ６は、例えばＰＥＴ製の樹脂シート１３の上面側に固定電極１２と、前記固定電極１２のそれぞれに対応して設けられた可動電極１３とを有している。
【００３０】
前記固定電極１２は、略円形状に形成されており、その周囲には前記固定電極１２から所定の間隔をあけて略リング状の周囲電極１４が設けられている。図３に示すように、前記周囲電極１４上には、ドーム状（ダイアフラム状）の前記可動電極１３が設けられている。
【００３１】
図３に示すように、ドーム状に形成された前記可動電極１３の中心１３ａと前記固定電極１２とが高さ方向にて一致している。すなわち前記固定電極１２、前記可動電極１３の中心１３ａ、及び樹脂シート１０の凸条部１０ａが高さ方向にて一致している。
【００３２】
図３に示すように、隣接する周囲電極１４どうしは電気的に繋がっているため、複数ある可動電極１３は前記周囲電極１４を介して電気的に接続された状態になっている。
【００３３】
図３に示すように、前記樹脂シート１３の裏面側には、共通電極１５（スイッチ信号ライン）が設けられ、前記共通電極１５と前記固定電極１２とは電気的に接続されている。
【００３４】
前記第二次入力スイッチ６の電気回路図は図４の通りであり、図４に示すように、電源供給ライン１６（電源供給ライン１６は、可動電極１３と、周囲電極１４と図示しない樹脂シート１３上に形成された導電パターンを有して構成される）と、スイッチ信号ライン１５との間に、複数の押圧型スイッチ素子ＳＷ１，ＳＷ２，ＳＷ３・・・が並列接続されている。
【００３５】
前記押圧型スイッチ素子ＳＷ１，ＳＷ２，ＳＷ３・・・は、図２に示すように、例えば指示表示８と高さ方向で対向する位置にそれぞれ設けられている。
【００３６】
図３の操作前の状態では、前記表面シート４及び第一次入力センサ５は変形しておらず、各押圧型スイッチ素子ＳＷを構成する可動電極１３もドーム状のままの形状を維持した状態になっている。
【００３７】
例えば図２に示す「７」の数字が表示された支持表示８を指やペン等を用いて下方向へ押圧すると、図５に示すように、前記表面シート４及び第一次入力センサ５とが共に撓み変形させられて凹んだ状態になる。このときの押圧力によって押圧型スイッチ素子ＳＷ１の前記可動電極１３が下方向へ反転させられ、所定以上の押圧力が加わると前記可動電極１３の中心１３ａが前記可動電極１３の下側に設けられた固定電極１２に接触する。
【００３８】
これにより押圧型スイッチ素子ＳＷ１の前記可動電極１３と固定電極１２とが導通し、図６に示すように、前記スイッチ素子ＳＷ１がオン状態になりスイッチ信号ＳＧが出力される。
【００３９】
なお前記可動電極１３が図５のように下方向へ反転させられると前記可動電極１３からは押圧反力が発生する。この押圧反力がクリック感として操作者の指に伝えられ、前記操作者に確実に押したという認識が与えられる。
【００４０】
以下、本発明の特徴的部分について説明する。
例えば静電容量型センサである第一次入力センサ５では、図５の押圧された位置での静電容量が変化することで、押圧された位置の座標データが、図７に示す制御部２４内の座標データ受信部２１で受信される（図８のステップＳＴ１）。
【００４１】
本発明における入力装置４が、今、ある所定モードとして機能しているとき、例えば、図１，図２に示す操作面７ａ上を指等でなぞることで、表示パネル３に表示されたカーソルが指の移動に合わせて移動し、前記表示パネル３に表示されたアイコン上にカーソルを合わせ、例えば「１」の指示表示８が「決定ボタン」としての機能を有するとき、前記「１」の指示表示８を下方向へ押圧することで、前記指示表示８の下にあるスイッチ素子ＳＷが入力状態（オン状態）になると、前記表示パネル３に表示されたアイコンを開くことができるモードがあったとする。
【００４２】
図７に示す制御部２４では、上記所定モードのとき、座標データ受信部２１で常に座標データを読み込み、スイッチ信号検出部２０でスイッチ信号が検出されない限り、座標データに基づいて、表示パネル上に表示されたカーソルが移動させられる。
【００４３】
本発明では、図４に示すように、複数ある押圧型スイッチ素子ＳＷは、一つのスイッチ信号ライン１５に接続されており、今、指を図２に示す「１」の指示表示８上で停止させて、指示表示８を下方向へ押圧すると、前記「１」の指示表示８の下にあるスイッチ素子ＳＷが入力状態になり、図６に示すように、スイッチ信号ライン１５からスイッチ信号ＳＧが出力される。
【００４４】
本発明では、従来のようにスイッチ信号ライン１５が個々のスイッチ素子ＳＷごとに設けられておらず、一つのスイッチ信号ライン１５に全てのスイッチ素子ＳＷが接続されているから、どのスイッチ素子ＳＷが入力状態になっても、前記スイッチ信号ライン１５からは同じスイッチ信号ＳＧが出力されることになる。
【００４５】
図７に示すように、前記スイッチ信号ＳＧを制御部２４のスイッチ信号検出部２０が検知すると（図８のステップＳＴ２）、制御部２４内に設けられたスイッチ位置検出部２２では、座標データ受信部２１に受信された、現在、押圧されている位置での座標データに基づいて入力状態にあるスイッチ素子ＳＷを特定する（図８のステップＳＴ４）。
【００４６】
前記スイッチ位置検出部２２により、入力状態にあるスイッチ素子ＳＷが、「１」の指示表示８の下にあるスイッチであると特定されると、図示しないＣＰＵに、「１」の指示表示８の下にあるスイッチ素子１１としてのスイッチ確定信号を送信し、ＣＰＵで「アイコンを開く決定ボタンが押された」と判断して、前記表示パネル３に表示されたアイコンを開く。
【００４７】
以上のように本発明では、複数の全ての押圧型スイッチ素子ＳＷは一つのスイッチ信号ライン１５に接続されており、押圧力を受けて一つの押圧型スイッチ素子ＳＷが入力状態になり前記スイッチ信号ライン１５からスイッチ信号ＳＧが検出されると、第一次入力センサ５から得られた座標データに基づいて、入力状態となった押圧型スイッチ素子ＳＷの位置が特定される。
【００４８】
このため、従来のように、個々のスイッチ素子ＳＷに対して個別の信号ラインを設けなくても、一つの信号ライン１５を設けるだけで、前記座標データを利用することで入力状態となったスイッチ素子ＳＷを判別することができ、信号ラインが複雑になることなく、特にスイッチ素子ＳＷの数が増えても入力装置４の小型化を適切に図ることが出来る。
【００４９】
また、第二次入力スイッチ６から制御部２４へ接続される信号ライン１５はスイッチ素子ＳＷの数が変動しても一本だけであるため、前記制御部２４側を設計変更する必要がない。
【００５０】
また、個々のスイッチ素子ＳＷに個別の信号ラインを引くよりも、一本の信号ライン１５のみを用いることでノイズの発生を抑制することが可能である。
【００５１】
なお本発明では、少なくとも前記スイッチ素子ＳＷの数よりも信号ライン１５の数の方が少なければ、従来に比べて信号ラインの配線設計が簡単になるし、また入力装置４の小型化にも貢献できる。
【００５２】
例えばスイッチ素子ＳＷが１０個あったとき、２本の信号ライン１５にそれぞれ５個づつのスイッチ素子ＳＷを接続させる。いずれかのスイッチ素子ＳＷが入力状態になってもスイッチ素子ＳＷに個別に信号ラインが引かれていないため信号ラインからのスイッチ信号ＳＧでは押圧されたスイッチ素子ＳＷの位置は特定できないが、前記座標データを利用することで入力状態となったスイッチ素子ＳＷを判別することが可能である。
【００５３】
ところで操作面７ａを押圧するときに、操作者がある特定箇所を押圧していると思っても、その操作者の押し方の癖や、あるいは無意識のうちに押圧位置がずれたりし、その結果、位置ずれを起こした座標データが出力されてしまい、本来入力状態にあるスイッチ素子ＳＷとは異なるスイッチ素子が入力されていると誤信号を出す可能性がある。特に、各スイッチ素子ＳＷ間の間隔が狭くなると、なお更、本来入力状態にあるはずの隣のスイッチが入力されていると誤った信号を出しやすい。
【００５４】
このため本発明では、図７に示すように、前記制御部２４に座標データ補正部２３を設け、前記第一次入力センサ５から得られた座標データを所定のアルゴリズムを用いて補正することが好ましい。
【００５５】
このようなデータ補正は、図８に示すように座標データを受信し（ステップＳＴ１）、スイッチ信号が検出された後（ステップＳＴ２）に、座標データの補正が行なわれる（ステップＳＴ３）。なお、スイッチ信号が検出されないと、座標データの補正は行なわず、受信された座標データをもとにした所定モードが機能し（例えば上記したカーソルの移動等）（ステップＳＴ５）、再びステップＳＴ１に戻って、スイッチ信号が検知されるまで、ステップＳＴ１−ステップＳＴ２−ステップＳＴ５が繰り返される。
【００５６】
前記座標データ補正部２３で行なわれる所定のアルゴリズムの具体例について説明すると、例えば過去の複数の座標データを平均化するアルゴリズムを提示することが出来る。
【００５７】
この手法であると、所定時間ごとに受信された複数回の座標データを図示しない記録部に記憶し、前記座標データを平均化することで、位置ずれによるイレギラーな座標データの情報を中和することができる。例えば図２に示す「１」の指示表示８上を指で押圧しているとき、所定時間ごとに受信された１０回の座標データのうち、最後の１回の座標データが、無意識のうちに指を傾けて押圧したことで、「２」の指示表示２に近い位置での座標データとして受信されたとしても、その最後のデータは、それまでの９回の座標データとの平均化によって中和されてしまうため、補正された座標データは、「１」の指示表示８内にある座標データとして認識され、その補正された座標データに基づき、入力状態にあるスイッチ素子ＳＷの位置を正確に特定することが可能になる。
【００５８】
あるいは、座標データに対応したビットデータのうち、所定の下位ビットを無視し、上位ビットのみを用いて前記座標データを特定するアルゴリズムを提示することが出来る。
【００５９】
例えば図９に示すように、Ｘ軸座標及びＹ軸座標（図９はＸ軸座標のみを図示）の分解能を１６ビットにする。このとき、各ビット列のうち、下位の２ビット分を無視し、上位２ビット分のみを有効とみなす。
【００６０】
すなわち、０ビットから３ビットまでは、全て［００※※」（※は無視しているという意味、以下同じ）のビット列として表すことができ、４ビットから７ビットまでは全て［０１※※」のビット列として表すことができ、８ビットから１１ビットまでは全て［１０※※」のビット列として表すことができ、１２ビットから１５ビットまでは全て［１１※※」のビット列として表すことが出来る。
【００６１】
このため、図９のようにスイッチ素子ＳＷを構成する固定電極１２を、同じビット列となる分可能領域内に設けておけば、同じビット列の分解能領域で位置ずれが生じたとしても、本来位置ずれがないときに出力される座標データと同じ座標データが出力されることになり、所定の下位ビットを無視して分解能を低下させた前記座標データに基づいて、入力状態にあるスイッチ素子１１を正確に特定することが可能である。
【００６２】
なお図９で分解能を１６ビットとしたのはあくまでも例示であり、実際は、もっと高い分解能によりＸ，Ｙ座標を特定している。かかる場合でも同様に所定の下位ビットを無視して、分解能を低下させた前記座標データに基づいて、スイッチ素子の特定を行なう。
【００６３】
特に第一次入力センサ５が静電容量センサであると、わずかに指の移動で座標データにずれやばらつきが生じやすいので、かかる場合、上記した座標データ補正部２３を用いることで、より効果的にスイッチ位置の検出精度を向上させることが出来る。
【００６４】
上記実施形態では、図８のフローチャートに示すように、まず座標データを受信したら（ステップＳＴ１）、スイッチ信号が出力されたか否かを検知し（ステップＳＴ２）、スイッチ信号が出力されていたら、前記座標データに基づき、入力状態にあるスイッチ素子１１の位置を判別していたが、逆に、スイッチ信号が出力されたか否かをまず検知して、次に受信した座標データを見て、前記座標データに基づき、入力状態にあるスイッチ素子１１の位置を判別するものであってもよい。
【００６５】
また前記第二次入力スイッチ６は、図２のように、一つのシート状に複数のスイッチ素子ＳＷが設けられた形態でなくてもよく、各スイッチ素子ＳＷが別々のシートに個別に形成されていてもよく、また二つの基板シート間に上部電極と下部電極が設けられたメンブレンスイッチであってもよい。
【００６６】
また表面シート４には前記指示表示８と対応する下面に下方向に突出する突起部（トリム）が設けられ、前記第一次入力センサ５には前記突起部に対応する位置に穴部が設けられ、前記穴部を介して前記突起部が押圧型スイッチ素子ＳＷを構成するドーム状の可動電極１３上に対向していてもよい（かかる場合、図３に示す凸条部１０ａを有する樹脂シート１０は設けられない）。
【００６７】
また前記座標データ補正部２３は制御部２４内に設けられていたが、前記座標データ補正部２３は第一次入力センサ５内に組み込まれていてもかまわない。
【図面の簡単な説明】
【００６８】
【図１】本発明の入力装置を搭載した携帯電話の部分斜視図、
【図２】本発明における入力装置の部分分解斜視図、
【図３】図２に示すＩＩＩ−ＩＩＩ線の部分断面図、
【図４】第二次入力手段の電気回路図、
【図５】図３に示す入力装置を押圧したときの状態図（部分断面図）、
【図６】図３のスイッチ入力状態のときの電気回路図、
【図７】本発明における入力装置のブロック図、
【図８】座標データの受信からスイッチ位置検出までの一連の流れを示すフローチャート図、
【図９】本発明における座標データ補正手段の一例を説明するための説明図、
【符号の説明】
【００６９】
１  携帯電話
３  表示パネル
４  入力装置
７  表面シート
８  指示表示
５  第一次入力センサ
６  第二次入力スイッチ
１２  固定電極
１３  可動電極
１４  周囲電極
１５  スイッチ信号ライン
２０  スイッチ信号検出部
２１  座標データ受信部
２２  スイッチ位置検出部
２３  座標データ補正部
２４  制御部
【図１】
2005338898.tif 000003
【図２】
2005338898.tif 000004
【図３】
2005338898.tif 000005
【図４】
2005338898.tif 000006
【図５】
2005338898.tif 000007
【図６】
2005338898.tif 000008
【図７】
2005338898.tif 000009
【図８】
2005338898.tif 000010
【図９】
2005338898.tif 000011